【手続補正書】
【提出日】平成27年10月22日(2015.10.22)
【手続補正１】
【補正対象書類名】明細書
【補正対象項目名】００１１
【補正方法】変更
【補正の内容】
【００１１】
本発明の目的を達成するために、たとえば、本発明の情報処理装置は、情報処理装置にインストールされているアプリケーションが該情報処理装置が有する機能への実行要求を行ったこと、を検知すると、該機能への実行要求が規定時間以内に連続して行われたか否かを判断する判断手段と、
前記機能への実行要求が規定時間以内に連続して行われたと判断した場合には、連続して処理を実行する際に用いるセキュリティポリシである連続処理用セキュリティポリシを設定し、連続して実行要求を行っていないと判断した場合には、非連続で処理を実行する際に用いるセキュリティポリシである非連続処理用セキュリティポリシを設定する設定手段と、
前記設定手段が設定したセキュリティポリシに従って、前記アプリケーションを実行する実行制御手段と
を備えることを特徴とする。
【手続補正２】
【補正対象書類名】特許請求の範囲
【補正対象項目名】全文
【補正方法】変更
【補正の内容】
【特許請求の範囲】
【請求項１】
情報処理装置にインストールされているアプリケーションが該情報処理装置が有する機能への実行要求を行ったこと、を検知すると、該機能への実行要求が規定時間以内に連続して行われたか否かを判断する判断手段と、
前記機能への実行要求が規定時間以内に連続して行われたと判断した場合には、連続して処理を実行する際に用いるセキュリティポリシである連続処理用セキュリティポリシを設定し、連続して実行要求を行っていないと判断した場合には、非連続で処理を実行する際に用いるセキュリティポリシである非連続処理用セキュリティポリシを設定する設定手段と、
前記設定手段が設定したセキュリティポリシに従って、前記アプリケーションを実行する実行制御手段と
を備えることを特徴とする情報処理装置。
【請求項２】
更に、
前記機能への実行要求を検知するたびに、該機能に固有の識別情報と、該検知のタイミングと、を関連づけてメモリに記録する手段を備え、
前記判断手段は、実行要求が検知された機能の識別情報と、該検知のタイミングから前記規定時間以内で最近のタイミングと関連づけて前記メモリに記録された識別情報と、が同じであるか否かを判断する
ことを特徴とする請求項１に記載の情報処理装置。
【請求項３】
前記設定手段は、
前記判断手段が同じであると判断した場合には、前記連続処理用セキュリティポリシを設定し、前記判断手段が同じではないと判断した場合には、前記非連続処理用セキュリティポリシを設定する
ことを特徴とする請求項２に記載の情報処理装置。
【請求項４】
情報処理装置内で発生したイベントが、連続動作のイベントであるか否かを判断する判断手段と、
前記発生したイベントが前記連続動作のイベントであれば、連続して処理を実行する際に用いるセキュリティポリシである連続処理用セキュリティポリシを設定し、前記発生したイベントが前記連続動作のイベントでなければ、非連続で処理を実行する際に用いるセキュリティポリシである非連続処理用セキュリティポリシを設定する設定手段と、
前記設定手段が設定したセキュリティポリシに従って、前記発生したイベントに対応するアプリケーションを実行する実行制御手段と
を備えることを特徴とする情報処理装置。
【請求項５】
情報処理装置にインストールされているアプリケーションが該情報処理装置が有する複数の機能のうち第１の機能への実行要求を行ったこと、を検知すると、該第１の機能と、該第１の機能の直前に実行要求をうけた第２の機能と、の組み合わせがあらかじめ設定された組み合わせであるか否かを判断する手段と、
前記第１の機能と前記第２の機能とがあらかじめ設定された組み合わせである場合、前記第１の機能に対する実行要求を検知したタイミングと前記第２の機能に対する実行要求を検知したタイミングとの間隔が、該組み合わせに対してあらかじめ関連づけられている規定時間以内であるか否かを判断する手段と、
前記間隔が前記規定時間以内であれば、前記組み合わせに対してあらかじめ関連づけられている、連続して処理を実行する際に用いるセキュリティポリシである連続処理用セキュリティポリシを設定し、前記間隔が前記規定時間以内ではない場合は、非連続で処理を実行する際に用いるセキュリティポリシである非連続処理用セキュリティポリシを設定する設定手段と、
前記設定手段が設定したセキュリティポリシに従って、前記アプリケーションを実行する実行制御手段と
を備えることを特徴とする情報処理装置。
【請求項６】
前記設定手段は、前記第１の機能と前記第２の機能とがあらかじめ設定された組み合わせでではない場合は、前記非連続処理用セキュリティポリシを設定することを特徴とする請求項５に記載の情報処理装置。
【請求項７】
情報処理装置が行う情報処理方法であって、
前記情報処理装置の判断手段が、前記情報処理装置にインストールされているアプリケーションが該情報処理装置が有する機能への実行要求を行ったこと、を検知すると、該機能への実行要求が規定時間以内に連続して行われたか否かを判断する判断工程と、
前記情報処理装置の設定手段が、前記機能への実行要求が規定時間以内に連続して行われたと判断した場合には、連続して処理を実行する際に用いるセキュリティポリシである連続処理用セキュリティポリシを設定し、連続して実行要求を行っていないと判断した場合には、非連続で処理を実行する際に用いるセキュリティポリシである非連続処理用セキュリティポリシを設定する設定工程と、
前記情報処理装置の実行制御手段が、前記設定工程で設定したセキュリティポリシに従って、前記アプリケーションを実行する実行制御工程と
を備えることを特徴とする情報処理方法。
【請求項８】
情報処理装置が行う情報処理方法であって、
前記情報処理装置の判断手段が、前記情報処理装置内で発生したイベントが、連続動作のイベントであるか否かを判断する判断工程と、
前記情報処理装置の設定手段が、前記発生したイベントが前記連続動作のイベントであれば、連続して処理を実行する際に用いるセキュリティポリシである連続処理用セキュリティポリシを設定し、前記発生したイベントが前記連続動作のイベントでなければ、非連続で処理を実行する際に用いるセキュリティポリシである非連続処理用セキュリティポリシを設定する設定工程と、
前記情報処理装置の実行制御手段が、前記設定工程で設定したセキュリティポリシに従って、前記発生したイベントに対応するアプリケーションを実行する実行制御工程と
を備えることを特徴とする情報処理方法。
【請求項９】
情報処理装置が行う情報処理方法であって、
前記情報処理装置の組み合わせ判断手段が、前記情報処理装置にインストールされているアプリケーションが該情報処理装置が有する複数の機能のうち第１の機能への実行要求を行ったこと、を検知すると、該第１の機能と、該第１の機能の直前に実行要求をうけた第２の機能と、の組み合わせがあらかじめ設定された組み合わせであるか否かを判断する工程と、
前記情報処理装置の間隔判断手段が、前記第１の機能と前記第２の機能とがあらかじめ設定された組み合わせである場合、前記第１の機能に対する実行要求を検知したタイミングと前記第２の機能に対する実行要求を検知したタイミングとの間隔が、該組み合わせに対してあらかじめ関連づけられている規定時間以内であるか否かを判断する工程と、
前記情報処理装置の設定手段が、前記間隔が前記規定時間以内であれば、前記組み合わせに対してあらかじめ関連づけられている、連続して処理を実行する際に用いるセキュリティポリシである連続処理用セキュリティポリシを設定し、前記間隔が前記規定時間以内ではない場合は、非連続で処理を実行する際に用いるセキュリティポリシである非連続処理用セキュリティポリシを設定する設定工程と、
前記情報処理装置の実行制御手段が、前記設定工程で設定したセキュリティポリシに従って、前記アプリケーションを実行する実行制御工程と
を備えることを特徴とする情報処理方法。
【請求項１０】
コンピュータを、請求項１ないし６のいずれか１項に記載の情報処理装置の各手段として機能させるためのコンピュータプログラム。